(57)【要約】  【課題】台所に配置される機器で永年使用される冷蔵庫の機械室への空気通路および排熱用ファンを利用して、鼠やゴキブリ等の生物の忌避剤もしくは駆除剤、または台所の芳香剤や消臭剤（部材という）を冷蔵庫の機械室内および台所内に拡散させ、部材を多大な労力を要することなく、ユーザーが容易に交換でき、且つ、安全な場所に配置できるようにした冷蔵庫を提供する。  【解決手段】冷蔵庫本体１の前方下部に配設されているフロントグリル１３の吸気口１３ａを構成する横桟１３ｂの一部に、後方に延出する周縁に複数の係止部１３ｄを形成した棚部１３ｃを備えた収納部１８を設け、同収納部１８に鼠やゴキブリ等の生物の忌避剤もしくは駆除剤、または台所の芳香剤や消臭剤（部材１９）を着脱自在に収納できるようにしている。【選択図】図４
2005013209.tif 000002
【特許請求の範囲】
【請求項１】
電気機器の吸気口と、排気口を連通する空気通路を設けてなり、前記空気通路に、部材を収納する収納部を設けてなることを特徴とする部材収納装置。
【請求項２】
前記部材を、生物の忌避剤もしくは駆除剤、または芳香剤や消臭剤としてなることを特徴とする請求項１に記載の部材収納装置。
【請求項３】
電気機器の前方に吸気口を有するフロントパネルと、同フロントパネルから後方の排気口を有する背面に連通する空気通路を設けてなり、
前記収納部を、前記フロントパネル内または前記フロントパネルの近傍に設け、同フロントパネルの前面から前記部材を着脱自在に配置してなることを特徴とする請求項１または２に記載の部材収納装置。
【請求項４】
冷蔵庫本体の下部後方の機械室に設けるファンと圧縮機を配設した圧縮機取付台と、前方に吸気口を有するフロントグリルと、後方に前記機械室に連通する通気口を有し、前記冷蔵庫本体の下部を覆うように取付けることによりダクトを形成するダクトカバーとからなる冷蔵庫において、
前記フロントグリルの近傍に、前記部材を収納する収納部を設けてなることを特徴とする冷蔵庫。
【請求項５】
前記部材を、生物の忌避剤もしくは駆除剤、または芳香剤や消臭剤としてなることを特徴とする請求項４に記載の冷蔵庫。
【請求項６】
前記収納部を前記フロントグリル内に設け、同フロントグリルの前面から前記部材を着脱自在に配置してなることを特徴とする請求項４または５に記載の冷蔵庫。
【発明の詳細な説明】
【技術分野】
【０００１】
本発明は部材収納装置とそれを利用した冷蔵庫に係わり、詳しくは、台所周辺に鼠やゴキブリ等の生物を寄せ付けないために、忌避剤もしくは駆除剤、または台所周辺の臭いを軽減するための芳香剤や消臭剤を配置する部材収納装置とそれを利用した冷蔵庫の構造に関するものである。
【背景技術】
【０００２】
冷蔵庫本体の底部は例えば図１に示すような構成になっている。図１は冷蔵庫本体下部の概略構成を示す側断面図で、１は鋼板製の外箱２と合成樹脂製の内箱３と発泡性断熱材４とからなる冷蔵庫本体である。この冷蔵庫本体１の底部５の前方には凝縮パイプ６が配設され、後方には機械室７が形成されている。機械室７には、圧縮機８と、同圧縮機８を冷却するためのファン９と、圧縮機８の上部に配設された蒸発皿１０とがある。凝縮パイプ６はダクトカバー１１によって支持され、冷蔵庫本体１の底部５とダクトカバー１１とによって外気を取り込み流通させるダクト１５が形成されている。
【０００３】
図２は凝縮パイプ６が配設されたダクトカバー１１と、ファン９および圧縮機８が配設された圧縮機取付台１６の上面図で、前方に吸気口１３ａを有するフロントグリル１３と、ダクトカバー１１は前記冷蔵庫本体１の下部を覆うように取付けることによりダクト１５を形成し、左後方に、機械室７に連通する通気口１４を有している。吸気口１３ａから吸い込まれた外気は凝縮パイプ６を冷却し、通気口１４から機械室７に入り、圧縮機取付台１６に配設されたファン９により圧縮機８を冷却すると共に、上部の蒸発皿１０に溜まった霜取水の蒸発を促進するようになっている。
【０００４】
ところで、台所には、水、餌が豊富にあるとともに、台所の諸設備より発せられる熱により、年間を通して適度な温度があることから鼠による齧り等の被害やゴキブリ等の生物の繁殖し易い環境となっている。このように、台所において鼠からの被害やゴキブリ等の生物が繁殖することを防止するために、台所内に忌避剤もしくは駆除剤を配置したり、忌避剤もしくは駆除剤を収容する収容容器を冷蔵庫の外壁に取り付けて（例えば、特許文献１参照）、冷蔵庫の吸気口を介して冷蔵庫内へ入れ、排気口より台所内に拡散されるようにしたものがある。
【０００５】
また、台所には、いろんな食材や調理後の生ごみから生じる臭いがあり、この台所の臭いを軽減するために、台所内に芳香剤や消臭剤を配置し、台所内に拡散するようにしていた。
【０００６】
しかしながら、鼠やゴキブリ等の生物の忌避剤もしくは駆除剤、または台所の芳香剤や消臭剤を台所内に配置した場合、周囲温度が低い時や空気の対流がない場所では、忌避剤もしくは駆除剤、または芳香剤や消臭剤が拡散しにくく、そして、ペットや小さい子供が誤って口にする恐れのある問題点を有していた。また、忌避剤もしくは駆除剤、または芳香剤や消臭剤を収容容器に入れ冷蔵庫の外壁に取り付けた場合、忌避剤もしくは駆除剤、または芳香剤や消臭剤の交換時に収容容器を冷蔵庫から取り外す必要があり、交換に手間がかかり、そして、冷蔵庫の前面に取り付ければ、台所の美観が損なわれる恐れのある問題点を有していた。
【特許文献１】特開２００２ー１４５７０２号公報（第３ー４頁、第２図）
【発明の開示】
【発明が解決しようとする課題】
【０００７】
本発明においては、上記の問題点に鑑み、台所に配置される機器で永年使用される冷蔵庫の機械室への空気通路および排熱用ファンを利用して、鼠やゴキブリ等の生物の忌避剤もしくは駆除剤、または台所の芳香剤や消臭剤を冷蔵庫の機械室内および台所内に拡散させ、鼠やゴキブリ等の生物の忌避剤もしくは駆除剤、または台所の芳香剤や消臭剤を多大な労力を要することなく、ユーザーが容易に交換でき、且つ、安全な場所に配置できるようにした冷蔵庫を提供することを目的としている。
【課題を解決するための手段】
【０００８】
本発明は、上記問題点を解決するため、電気機器の吸気口と、排気口を連通する空気通路を設けてなり、前記空気通路に、部材を収納する収納部を設けた構成となっている。
【０００９】
前記部材を、生物の忌避剤もしくは駆除剤、または芳香剤や消臭剤とした構成となっている。
【００１０】
電気機器の前方に吸気口を有するフロントパネルと、同フロントパネルから後方の排気口を有する背面に連通する空気通路を設けてなり、
前記収納部を、前記フロントパネル内または前記フロントパネルの近傍に設け、同フロントパネルの前面から前記部材を着脱自在に配置した構成となっている。
【００１１】
冷蔵庫本体の下部後方の機械室に設けるファンと圧縮機を配設した圧縮機取付台と、前方に吸気口を有するフロントグリルと、後方に前記機械室に連通する通気口を有し、前記冷蔵庫本体の下部を覆うように取付けることによりダクトを形成するダクトカバーとからなる冷蔵庫において、
前記フロントグリルの近傍に、前記部材を収納する収納部を設けた構成となっている。
【００１２】
前記部材を、生物の忌避剤もしくは駆除剤、または芳香剤や消臭剤とした構成となっている。
【００１３】
前記収納部を前記フロントグリル内に設け、同フロントグリルの前面から前記部材を着脱自在に配置した構成となっている。
【発明の効果】
【００１４】
以上のように本発明によると、台所に配置される機器で永年使用される冷蔵庫の機械室への空気通路および排熱用ファンを利用して、鼠やゴキブリ等の生物の忌避剤もしくは駆除剤、または台所の芳香剤や消臭剤を冷蔵庫の機械室内および台所内に拡散させ、鼠やゴキブリ等の生物の忌避剤もしくは駆除剤、または台所の芳香剤や消臭剤を多大な労力を要することなく、ユーザーが容易に交換でき、且つ、安全な場所に配置できるようにした冷蔵庫となる。
【発明を実施するための最良の形態】
【００１５】
以下、本発明の実施の形態を図１〜図４に基づいて説明する。
【００１６】
図１は冷蔵庫本体下部の概略構成を示す側断面図、図２は同冷蔵庫本体下部の上面図である。図において、１は鋼板製の外箱２と合成樹脂製の内箱３と発泡性断熱材４とからなる冷蔵庫本体である。この冷蔵庫本体１の底部５の前方には凝縮パイプ６が配設され、後方には機械室７が形成されている。機械室７には、圧縮機８と、同圧縮機８を冷却するためのファン９と、圧縮機８の上部に配設された蒸発皿１０とがある。また、冷蔵庫本体１の前面開口部には扉２０が配設され、冷蔵庫本体１の前方下部には複数の吸気口１３ａを有するフロントグリル１３が配設されている。
【００１７】
前記凝縮パイプ６はダクトカバー１１内で複数の支持具１２によって支持されている。ダクトカバー１１は前記冷蔵庫本体１の下部を覆うように取付けることによって前記フロントグリル１３の吸気口１３ａからの外気を機械室７に流通させるダクト１５を形成し、左後方には機械室７に連通する通気口１４を有している。
【００１８】
前記吸気口１３ａから吸い込まれた外気は凝縮パイプ６を冷却し、通気口１４から機械室７に入り、圧縮機取付台１６に配設されたファン９により圧縮機８を冷却するとともに、上部の蒸発皿１０に溜まった霜取水の蒸発を促進させ、機械室７の背面右側に設けられた吹出口１７から送出させるようになっている。
【実施例１】
【００１９】
本発明は、図３および図４に示すように、前記冷蔵庫本体１の前方下部に配設されている前記フロントグリル１３の吸気口１３ａを構成する横桟１３ｂの一部に、後方に延出する周縁に複数の係止部１３ｄを形成した棚部１３ｃを備えた収納部１８を設け、同収納部１８に鼠やゴキブリ等の生物の忌避剤もしくは駆除剤、または台所の芳香剤や消臭剤（これらを以後、部材１９という）を着脱自在に収納できるようにしている。
【００２０】
前記フロントグリル１３は前記冷蔵庫本体１の風上に位置し、前記フロントグリル１３の前記吸気口１３ａから吸い込まれた外気は、前記部材１９を含む空気となり、前記ダクト１５内を通って、前記通気口１４から機械室７に入り、圧縮機取付台１６に配設されたファン９により加速され圧縮機８、上部の蒸発皿１０を経て機械室７を循環した後、同機械室７の背面右側に設けられた吹出口１７から送出され、台所内へ拡散させるようになっている。
【００２１】
なお、上記実施例では、前記フロントグリル１３に、前記部材１９を収納できる前記収納部１８を設けたが、前記冷蔵庫本体１の風上に位置する前記フロントグリル１３の近傍の例えば、前記ダクトカバー１１の前方上面に、前記部材１９を収納できる前記収納部１８を設けてもよい。（図示せず）
また、前記収納部１８には、鼠やゴキブリ等の生物の忌避剤もしくは駆除剤、または台所の芳香剤や消臭剤（部材１９）に限るものでなく、必要に応じて、他の部材を収納してもよい。
【００２２】
上記構成において、前記部材１９を収納できる前記収納部１８を、前記冷蔵庫本体１の風上に位置する前記フロントグリル１３に設け、冷蔵庫の排気により前記部材１９を冷蔵庫の機械室内および台所内へ拡散させることにより、前記部材１９が拡散しにくく、そして、ペットや小さい子供が誤って口にする恐れのある問題点をなくすことができる。また、前記部材１９の交換が容易となるので、交換に手間がかかり、そして、冷蔵庫の前面に取り付ければ、台所の美観が損なわれる恐れのある問題点をなくすことができる。
【図面の簡単な説明】
【００２３】
【図１】本発明および従来例に係わる冷蔵庫本体下部の構成を示す側断面図である。
【図２】本発明および従来例に係わる形態を示す冷蔵庫本体下部の上面図である。
【図３】本発明に係わるフロントグリルを裏面から見た斜視図である。
【図４】本発明のフロントグリルの形態を示す要部拡大断面図である。
【符号の説明】
【００２４】
１  冷蔵庫本体
５  底部
６  凝縮パイプ
７  機械室
８  圧縮機
９  ファン
１０  蒸発皿
１１  ダクトカバー
１２  支持具
１３  フロントグリル
１３ａ  吸気口
１３ｂ  横桟
１３ｃ  棚部
１３ｄ  係止部
１４  通気口
１５  ダクト
１６  圧縮機取付台
１７  吹出口
１８  収納部
１９  部材
２０  扉
【図１】
2005013209.tif 000003
【図２】
2005013209.tif 000004
【図３】
2005013209.tif 000005
【図４】
2005013209.tif 000006